(57)【特許請求の範囲】
【請求項１】
底部と、相対する一対の方形状側壁と、切欠部が形成された相対する一対の凹状側壁とを有する平面形状がほぼ正方形状の箱型容器であって、前記方形状側壁の隅部付近の内壁には、容器のほぼ半分の深さを有するポケット部を、それぞれ形成するとともに、該ポケット部の間に位置する方形状側壁の外壁には支脚部を形成し、更に、前記凹状側壁の隅部付近の外壁には、ネスティングの際に、前記ポケット部に挿入される支脚部及び該ポケット部に挿入される支脚部の上方に位置するとともに、スタッキングの際に、前記ポケット部に挿入される支脚部に、縦方向に連続して配置される副支脚部とを、それぞれ形成したことを特徴とする箱型容器。
【請求項２】
上記方形状側壁及び凹状側壁の外壁に形成された支脚部の下面に溝或いは凹部を設けるとともに、上記方形状側壁及び凹状側壁のフランジには、前記溝或いは凹部に挿入可能な凸条或いは突起を形成したことを特徴とする請求項１に記載の箱型容器。
【請求項３】
上記底部に土手部を介して内容物の下部が嵌合可能な窪み部を形成したことを特徴とする請求項１又は請求項２に記載の箱型容器。
【発明の詳細な説明】
【０００１】
【発明の属する技術分野】
本発明は、空の箱型容器（以下、箱型容器を、単に、「容器」ともいう。）同士を、上に位置する容器が、下に位置する容器内に嵌め込まれるように積み重ねたり（以下、このような積み重ねを、「ネスティング」と称する。）或いは内容物が収容された容器同士を、上に位置する容器が、下に位置する容器内に嵌め込まれないように積み重ねたり（以下、このような積み重ねを、「スタッキング」と称する。）することが可能な容器に関するものである。
【０００２】
【従来の技術】
従来、底部及び４つの側壁を有する、平面形状がほぼ正方形状の箱型容器において、一方の相対する側壁に、それぞれ切欠部を設けるとともに、切欠部が設けられた側壁の隅部付近の内壁を外側に膨出させて、容器のほぼ半分の深さを有するポケット部を、それぞれ形成し、また、もう一方の切欠部が形成されていない相対する側壁の隅部付近の外壁に、上記ポケット部に挿入可能な支脚部を、それぞれ形成した容器が知られている。このような容器は、容器同士を、下に位置する容器の切欠部が形成された側壁の上方に、上に位置する容器の切欠部が形成された側壁が位置するように積み重ねると、スタッキングされ、また、スタッキング状態で積み重ねられた容器の一方を、平面的に、９０度回転させて、下に位置する容器の切欠部が形成された側壁の上方に、上に位置する容器の切欠部が形成されていない側壁が位置するように積み重ねると、ネスティングされることになる。
【０００３】
【発明が解決しようとする課題】
上述した従来の箱型容器を、複数個スタッキングした場合に、支脚部が形成された側壁側は、下に位置する容器の支脚部と、上に位置する容器の支脚部とが、直線的に配列するので、支脚部が、あたかも、一本の柱のように作用し、スタッキングされた容器の側壁が座屈等を起こし、破損するようなことはないが、切欠部が形成された側壁側は、このような支脚部がなく、しかも、切欠部が形成されているために、強度的に弱く、従って、損傷しやすいという問題がある。
【０００４】
本発明の目的は、上述した従来の箱型容器が有する課題を解決するとともに、安定したスタッキングが可能な、しかも、このような箱型容器を、菌床等の培養容器として使用した場合に、特に、優れた作用効果を発揮することができる箱型容器を提供することにある。
【０００５】
【課題を解決するための手段】
本発明は、上述した目的を達成するために、第１には、底部と、相対する一対の方形状側壁と、切欠部が形成された相対する一対の凹状側壁とを有する平面形状がほぼ正方形状の箱型容器であって、前記方形状側壁の隅部付近の内壁には、容器のほぼ半分の深さを有するポケット部を、それぞれ形成するとともに、該ポケット部の間に位置する方形状側壁の外壁には支脚部を形成し、更に、前記凹状側壁の隅部付近の外壁には、ネスティングの際に、前記ポケット部に挿入される支脚部及び該ポケット部に挿入される支脚部の上方に位置するとともに、スタッキングの際に、前記ポケット部に挿入される支脚部に、縦方向に連続して配置される副支脚部とを、それぞれ形成したものであり、第２には、上記方形状側壁及び凹状側壁の外壁に形成された支脚部の下面に溝或いは凹部を設けるとともに、上記方形状側壁及び凹状側壁のフランジには、前記溝或いは凹部に挿入可能な凸条或いは突起を形成したものであり、第３には、上記底部に土手部を介して内容物の下部が嵌合可能な窪み部を形成したものである。
【０００６】
以下に、本発明の箱型容器の斜視図である図１、本発明の箱型容器の平面図である図２、本発明の箱型容器をスタッキング状態に積み重ねた斜視図である図３及び本発明の箱型容器をネスティング状態に積み重ねた斜視図である図４を用いて、本発明の実施例について説明するが、本発明の趣旨を越えない限り何ら、本実施例に限定されるものではない。
【０００７】
【実施例】
１は、所定数の窪み部１ａを有するとともに、平面形状がほぼ正方形状の底部であり、このような窪み部１ａは、底部１を下方に凹ませることにより形成されることが好ましい。本実施例においては、窪み部１ａは、３行２列の合計６個形成されているが、６個に限定されることなく、４個或いは８個等、必要に応じて、適当数、設けることができる。また、本実施例においては、窪み部１ａの平面形状がほぼ方形状に形成されているが、該凹部に挿着される内容物の形状に応じて、適当な形状とすることができる。
【０００８】
２は、相対して配置された一対の正面形状がほぼ方形状の側壁であり、３は、隅部付近を除いて、容器のほぼ半分の深さを有する切欠部３ａが形成された、相対して配置された正面形状がほぼ凹状の一対の側壁である。なお、以下においては、便宜的に、切欠部３ａが形成されていない側壁２を、「方形状側壁」と称し、また、切欠部３ａが形成されている側壁３を、「凹状側壁」と称する。
【０００９】
方形状側壁２の隅部付近の内壁には、方形状側壁２の上端部２ａから底部１方向にほぼ垂直に延びる容器のほぼ半分の深さを有する縦長のポケット部４が、それぞれ形成されている。ポケット部４の幅は、下方に行くに従って、徐々に狭く形成されていることが好ましく、本実施例においては、ポケット部４の相対する壁部４ａは、方形状側壁２の上端部２ａに向かって外側に傾斜して形成されている。このようにポケット部４の壁部４ａを、上端部２ａに向かって外側に傾斜するように形成することにより、ネスティングの際に、後述する支脚部のポケット部４への挿入を容易に行うことができるとともに、ポケット部４からの支脚部の引き抜きを容易に行うことができる。ポケット部４の間には、方形状側壁２の上端部２ａから一段下がったフランジ５が形成されており、フランジ５には、方形状側壁２の上端部２ａとほぼ面一となるような凸条６が突設されている。
【００１０】
７は、ポケット部４の間に位置する方形状側壁２の外壁のほぼ全面に亘って形成された支脚部であり、支脚部７は、フランジ５から底部１付近までほぼ垂直に延びる一対の垂直枠リブ７ａ、一対の垂直枠リブ７ａの下端部を連結する水平枠リブ７ｂ及び適当な間隔で縦横に延びる補強リブ７ｃにより形成されている。また、水平枠リブ７ｂの下面には、水平枠リブ７ｂの長さ方向に沿って溝が形成されている。容器をスタッキング状態に積み重ねた際に、下に位置する容器のフランジ５に突設された凸条６が、上に位置する容器の水平枠リブ７ｂの下面に形成された溝に挿入されるように構成されており、従って、上に位置する容器が、下に位置する容器に対して、方形状側壁２方向に移動することが防止できる。なお、図１に示されている連続した凸条６に代えて、適当な間隔を有する突起を、適当数、突出させることもでき、また、水平枠リブ７ｂの下面には、凸条６が挿入可能な溝に代えて、上記の突起が挿入可能な凹部を、適当数、形成することもできる。
【００１１】
８は、凹状側壁３の切欠部３ａの水平部分３ｂに沿って容器の全周を囲むように形成された中間フランジであり、９は、凹状側壁３の隅部付近の外壁に、中間フランジ８からほぼ底部１まで延びるように、それぞれ形成された支脚部である。支脚部９は、所定の間隔を置いて垂直に延びる一対の垂直枠リブ９ａと垂直枠リブ９ａの下端部を連結する水平枠リブ９ｂとを有するとともに、水平枠リブ９ｂの下面には、凹部が形成されている。支脚部９の幅は、上述したポケット部４の幅より、若干、狭く、ネスティングの際には、上に位置する容器の支脚部９が、下に位置する容器のポケット部４に挿入できるように構成されている。なお、９ｃは、支脚部９の適当な位置に形成された水平状の補強リブである。
【００１２】
１０は、上述した方形状側壁２の上端部２ａと面一に形成された凹状側壁３の上端部３ｃから中間フランジ８まで延びる副支脚部であり、副支脚部１０は、上述した支脚部９の上方に位置している。副支脚部１０は、容器の外側に位置する垂直枠リブ１０ａと切欠部３ａの傾斜面３ｄに形成された傾斜リブ１０ｂとを有しており、垂直枠リブ１０ａと支脚部９の容器の外側に位置する垂直枠リブ９ａとは、あたかも、一体に形成された一本の垂直枠リブを形成するように、直線状に配置されている。支脚部９の容器の内側に位置する垂直枠リブ９ａと、一本の垂直枠リブを形成するように、副支脚部１０に、更に垂直枠リブを設けることもできる。なお、１０ｃは、副支脚部１０の適当な位置に形成された水平状の補強リブである。
【００１３】
凹状側壁３の上端部３ｃから一段下がったフランジ１１が形成されており、フランジ１１には、上端部３ｃとほぼ面一となるような突起１２が突設されている。容器をスタッキング状態に積み重ねた際に、下に位置する容器のフランジ１１に突設された突起１２が、上に位置する容器の支脚部９の水平枠リブ９ｂの下面に形成された凹部に挿入されるように構成されており、従って、上に位置する容器が、下に位置する容器に対して、凹状側壁３方向に移動することが防止できる。
【００１４】
１３は、中間フランジ８の下方に位置する凹状側壁３のほぼ中央部を、容器の内側に向けて膨出させた方形状の膨出部であり、凹状側壁３の補強としての機能と、底部１に形成された窪み部１ａに、内容物の下部を嵌合させる際の案内部材として機能を有するものである。また、１４は、中間フランジ８の下方に位置する凹状側壁３の内壁に、適当数、形成された側面形状が三角形状のリブであり、膨出部１３と同様に、凹状側壁３の補強としての機能と、底部１に形成された窪み部１ａに、内容物の下部を嵌合させる際の案内部材として機能を有するものである。
【００１５】
上述したような構成を有する容器を、図３に示されているように、上に位置する容器の方形状側壁２と下に位置する容器の方形状側壁２とが同じ側に位置するように積み重ねることにより、順次、多数の容器をスタッキングすることができる。スタッキングされた容器の凹状側壁３側には、切欠部３ａにより開口部が形成されるので、例えば、菌が植えられブロック状に固められたおが屑からなる菌床を容器に収容した場合には、この切欠部３ａにより、菌の成育に必要な適当な通気性或いは通風性が確保されることになる。勿論、方形状側壁２或いは凹状側壁３に透孔を形成し、更に、通気性或いは通風性を良好なものとすることもできる。
【００１６】
また、上述したように、スタッキングの際には、下に位置する容器のフランジ５に突設された凸条６が、上に位置する容器の水平枠リブ７ｂの下面に形成された溝に挿入されるとともに、下に位置する容器のフランジ１１に突設された突起１２が、上に位置する容器の支脚部９の水平枠リブ９ｂの下面に形成された凹部に挿入されるので、下に位置する容器に対する、上に位置する容器の水平方向の移動が阻止されるので、安定した状態で多数の容器をスタッキング状態に積み重ねることができる。
【００１７】
切欠部３ａを有する凹状側壁３には、支脚部９と副支脚部１０が形成されているので、容器をスタッキング状態に積み重ねた際には、上に位置する容器の支脚部９、副支脚部１０と、下に位置する容器の支脚部９、副支脚部１０とが、一本の柱のように縦方向に連続して配置されるので、切欠部３ａのために、強度的に落ちる凹状側壁３を、十分に、補強することができる。また、方形状側壁２の外壁のほぼ全面に亘って支脚部７が形成されているとともに、容器をスタッキング状態に積み重ねた際に、上に位置する容器の支脚部７と、下に位置する容器の支脚部７とが、一本の柱のように縦方向に連続して配置されるので、方形状側壁２の強度を十分確保することができる。従って、重量物を収容した容器を、多数、安定した状態でスタッキングすることができる。
【００１８】
上述したスタッキング状態から、上に位置する容器を、平面的に９０度回転させて、上に位置する容器の凹状側壁３の下方に、下に位置する容器の方形状側壁２が位置するように積み重ねることにより、上に位置する容器を、下に位置する容器の中に嵌め込み、順次、多数の容器をネスティングすることができる。
【００１９】
上述した構成を有する容器は、菌が植えられブロック状に固められたおが屑からなる菌床の収容に適しており、上述したように、底部１に、ブロック状の菌床の底部が嵌合可能な窪み部１ａが形成されているので、菌床の底部を、この窪み部１ａに嵌合させることにより、菌床を安定した状態で容器に収納することができる。また、窪み部１ａ間には、所定の幅を有する土手部１ｂが形成されており、従って、隣接する菌床間に所定の間隙が確保されるので、通気性或いは通風性を、より向上させることができる。更に、窪み部１ａと方形状側壁２或いは凹状側壁３との間には、所定の間隔が形成されているので、方形状側壁２或いは凹状側壁３と菌床との間には間隙が確保されるので、通気性或いは通風性を、更に向上させることができる。
【００２０】
なお、上述したような構成を有する容器は、射出成形機等により、合成樹脂で一体に成形することが好ましい。
【００２１】
【発明の効果】
本発明は、以上説明したような構成を有するので、以下に記載する効果を奏するものである。
【００２２】
切欠部を有する凹状側壁の隅部付近の外壁に、支脚部及び該支脚部の上方に位置する副支脚部を形成したので、凹状側壁の強度を高めることができるとともに、ポケット部の間に位置する方形状側壁の外壁にも支脚部を形成したので、容器の強度を更に高めることができる。
【００２３】
スタッキングの際に、下に位置する容器のフランジに突設された突起或いは凸条が、上に位置する容器の支脚部の底面に形成された凹部或いは溝に挿入されるので、下に位置する容器に対する、上に位置する容器の水平方向の移動が阻止されるので、安定した状態で多数の容器をスタッキング状態に積み重ねることができる。
【００２４】
底部に、土手部を介して、内容物の下部が嵌合可能な窪み部を形成したので、容器に内容物を安定した状態で収容することができるとともに、土手部により、収容される内容物間に所定の間隙が確保されるので、通気性或いは通風性を向上させることができる。
【図面の簡単な説明】
【図１】図１は本発明の箱型容器の斜視図である。
【図２】図２は本発明の箱型容器の平面図である。
【図３】図３は本発明の箱型容器をスタッキング状態に積み重ねた斜視図である。
【図４】図４は本発明の箱型容器をネスティング状態に積み重ねた斜視図である。
【符号の説明】
１・・・・・・・底部
１ａ・・・・・・窪み部
１ｂ・・・・・・土手部
２・・・・・・・方形状側壁
３・・・・・・・凹状側壁
３ａ・・・・・・切欠部
４・・・・・・・ポケット部
７、９・・・・・支脚部
１０・・・・・・副支脚部
【図１】
0003713072.tif 000002
【図２】
0003713072.tif 000003
【図３】
0003713072.tif 000004
【図４】
0003713072.tif 000005